【手続補正書】
【提出日】令和2年1月16日(2020.1.16)
【手続補正１】
【補正対象書類名】明細書
【補正対象項目名】００１２
【補正方法】変更
【補正の内容】
【００１２】
以上の課題を解決するため，本件発明のうち，第一の発明は，ユーザの生理活動に影響を及ぼす情報又は／及びユーザの健康度合いを示す情報である生活要素情報をユーザから取得する生活要素情報取得部と，取得した生活要素情報を履歴情報として蓄積する生活要素情報蓄積部と，がん予防・改善という目的に向けての各生活要素の最適値である生活要素情報最適値を保持する生活要素情報最適値保持部と，各生活要素情報の最適値により近づくためのアドバイスを複数保持するアドバイス保持部と，生活要素情報の履歴情報とその生活要素の保持されている生活要素情報最適値と，を変数として前記保持されているアドバイスを選択するためのルールであるアドバイス選択ルールを保持するアドバイス選択ルール保持部と，生活要素情報の履歴情報とその生活要素の保持されている生活要素情報最適値と，を変数として前記保持されているアドバイス選択ルールを用いてアドバイスを選択するアドバイス選択部と，選択部で選択されたアドバイスを出力するアドバイス出力部と，生活要素情報が数値で取得される場合に，生活要素情報蓄積部に蓄積された生活要素情報相互の相関係数である生活要素情報相互相関係数を取得する生活要素情報相互相関係数取得部と，生活要素情報相互相関係数が一定以上の生活要素情報どうしを一括して一つのアドバイスを選択するようにアドバイス選択ルールを変更するアドバイス選択ルール変更部と，を備えたがん予防・改善アドバイス装置を提供する。
【手続補正２】
【補正対象書類名】明細書
【補正対象項目名】００１８
【補正方法】変更
【補正の内容】
【００１８】
さらに第七の発明として，ユーザの生理活動に影響を及ぼす情報又は／及び健康度合いを示す情報である生活要素情報をユーザから取得する生活要素情報取得ステップと，取得した生活要素情報を履歴情報として蓄積する生活要素情報蓄積ステップと，がん予防・改善という目的に向けての各生活要素の最適値である生活要素情報最適値を保持する生活要素情報最適値保持ステップと，保持されている各生活要素情報の最適値により近づくための複数のアドバイスから，生活要素情報の履歴情報とその生活要素の保持されている生活要素情報最適値と，を変数として選択するためのルールであるアドバイス選択ルールを用いてアドバイスを選択するアドバイス選択ステップと，選択部で選択されたアドバイスを出力するアドバイス出力ステップと，生活要素情報が数値で取得される場合に，生活要素情報蓄積ステップに蓄積された生活要素情報相互の相関係数である生活要素情報相互相関係数を取得する生活要素情報相互相関係数取得ステップと，生活要素情報相互相関係数が一定以上の生活要素情報どうしを一括して一つのアドバイスを選択するようにアドバイス選択ルールを変更するアドバイス選択ルール変更ステップと，を備えたがん計算機である予防・改善アドバイス装置の動作プログラムを提供する。
【手続補正３】
【補正対象書類名】明細書
【補正対象項目名】００２９
【補正方法】変更
【補正の内容】
【００２９】
すなわち，第十六の発明として，ユーザの生理活動に影響を及ぼす情報又は／及びユーザの健康度合いを示す情報である生活要素情報をユーザから取得する生活要素情報取得部と，取得した生活要素情報をその生活要素情報の取得時期に対応する後記出力されたアドバイス情報と関連付けて履歴情報として蓄積する生活要素情報蓄積部と，生活要素情報を後記生活要素情報最適値を用いて評価し評価結果を得る生活要素情報評価部と，評価結果と評価された生活要素情報に対応するアドバイス情報との関係を学習して学習結果を生成するアドバイス結果学習部と，がん予防・改善という目的に向けての各生活要素の最適値である生活要素情報最適値を保持する生活要素情報最適値保持部と，各生活要素情報の最適値により近づくためのアドバイスを複数保持するアドバイス保持部と，生活要素情報の履歴情報とその生活要素の保持されている生活要素情報最適値と，前記学習結果と，を用いて前記保持されているアドバイスを選択するためのルールであるアドバイス選択ルールを保持するアドバイス選択ルール保持部と，生活要素情報の履歴情報とその生活要素の保持されている生活要素情報最適値と，を変数として前記保持されているアドバイス選択ルールを用いてアドバイスを選択するアドバイス選択部と，選択部で選択されたアドバイスを出力するアドバイス出力部と，生活要素情報が数値で取得される場合に，生活要素情報蓄積部に蓄積された生活要素情報相互の相関係数である生活要素情報相互相関係数を取得する生活要素情報相互相関係数取得部と，生活要素情報相互相関係数が一定以上の生活要素情報どうしを一括して一つのアドバイスを選択するようにアドバイス選択ルールを変更するアドバイス選択ルール変更部と，を備えたがん予防・改善アドバイス装置を提供する。
【手続補正４】
【補正対象書類名】特許請求の範囲
【補正対象項目名】全文
【補正方法】変更
【補正の内容】
【特許請求の範囲】
【請求項１】
ユーザの生理活動に影響を及ぼす情報又は／及びユーザの健康度合いを示す情報である生活要素情報をユーザから取得する生活要素情報取得部と，
取得した生活要素情報を履歴情報として蓄積する生活要素情報蓄積部と，
がん予防・改善という目的に向けての各生活要素の最適値である生活要素情報最適値を保持する生活要素情報最適値保持部と，
各生活要素情報の最適値により近づくためのアドバイスを複数保持するアドバイス保持部と，
生活要素情報の履歴情報とその生活要素の保持されている生活要素情報最適値と，を変数として前記保持されているアドバイスを選択するためのルールであるアドバイス選択ルールを保持するアドバイス選択ルール保持部と，
生活要素情報の履歴情報とその生活要素の保持されている生活要素情報最適値と，を変数として前記保持されているアドバイス選択ルールを用いてアドバイスを選択するアドバイス選択部と，
選択部で選択されたアドバイスを出力するアドバイス出力部と，
生活要素情報が数値で取得される場合に，生活要素情報蓄積部に蓄積された生活要素情報相互の相関係数である生活要素情報相互相関係数を取得する生活要素情報相互相関係数取得部と，
生活要素情報相互相関係数が一定以上の生活要素情報どうしを一括して一つのアドバイスを選択するようにアドバイス選択ルールを変更するアドバイス選択ルール変更部と，
を備えたがん予防・改善アドバイス装置。
【請求項２】
ユーザの生理活動に影響を及ぼす情報又は／及びユーザの健康度合いを示す情報である生活要素情報をユーザから取得する生活要素情報取得部と，
取得した生活要素情報をその生活要素情報の取得時期に対応する後記出力されたアドバイス情報と関連付けて履歴情報として蓄積する生活要素情報蓄積部と，
生活要素情報を後記生活要素情報最適値を用いて評価し評価結果を得る生活要素情報評価部と，
評価結果と評価された生活要素情報に対応するアドバイス情報との関係を学習して学習結果を生成するアドバイス結果学習部と，
がん予防・改善という目的に向けての各生活要素の最適値である生活要素情報最適値を保持する生活要素情報最適値保持部と，
各生活要素情報の最適値により近づくためのアドバイスを複数保持するアドバイス保持部と，
生活要素情報の履歴情報とその生活要素の保持されている生活要素情報最適値と，前記学習結果と，を用いて前記保持されているアドバイスを選択するためのルールであるアドバイス選択ルールを保持するアドバイス選択ルール保持部と，
生活要素情報の履歴情報とその生活要素の保持されている生活要素情報最適値と，を変数として前記保持されているアドバイス選択ルールを用いてアドバイスを選択するアドバイス選択部と，
選択部で選択されたアドバイスを出力するアドバイス出力部と，
生活要素情報が数値で取得される場合に，生活要素情報蓄積部に蓄積された生活要素情報相互の相関係数である生活要素情報相互相関係数を取得する生活要素情報相互相関係数取得部と，
生活要素情報相互相関係数が一定以上の生活要素情報どうしを一括して一つのアドバイスを選択するようにアドバイス選択ルールを変更するアドバイス選択ルール変更部と，
を備えたがん予防・改善アドバイス装置。
【請求項３】
アドバイス選択部は，アドバイス選択ルールを用いて，生活要素情報の履歴情報とその生活要素の保持されている生活要素情報最適値との乖離具合に応じてアドバイスを選択する請求項１又は２に記載のがん予防・改善アドバイス装置。
【請求項４】
アドバイス選択部は，ユーザの気分を把握して，その気分に適したアドバイス群の中から適切なアドバイスを選択する請求項１，２，又は３に記載のがん予防・改善アドバイス装置。
【請求項５】
アドバイス出力部は，所定の疾患が疑われる場合，アドバイス群の中から深刻度が低い順に選択肢を増やしてアドバイスとして出力する請求項１から４のいずれか一に記載のがん予防・改善アドバイス装置。
【請求項６】
生活要素情報蓄積部に蓄積された生活要素情報の履歴情報をネットワークを介して出力する履歴情報出力部をさらに有する請求項１又は２に記載のがん予防・改善アドバイス装置と，
履歴情報出力部から出力される履歴情報をネットワークを介して取得する履歴情報取得部と，
取得した履歴情報を統計処理して生活要素情報相互の相関係数を算出する中央サーバ相関係数算出部と，
算出した相関係数を出力する中央サーバ相関係数出力部と，
を有する中央サーバと，
からなるがん予防・改善アドバイスシステム。
【請求項７】
中央サーバ相関係数算出部は，ユーザの属性別に，取得した履歴情報を統計処理して生活要素情報相互の相関係数を算出する請求項６に記載のがん予防・改善アドバイスシステム。
【請求項８】
ユーザの生理活動に影響を及ぼす情報又は／及び健康度合いを示す情報である生活要素情報をユーザから取得する生活要素情報取得ステップと，
取得した生活要素情報を履歴情報として蓄積する生活要素情報蓄積ステップと，
がん予防・改善という目的に向けての各生活要素の最適値である生活要素情報最適値を保持する生活要素情報最適値保持ステップと，
保持されている各生活要素情報の最適値により近づくための複数のアドバイスから，生活要素情報の履歴情報とその生活要素の保持されている生活要素情報最適値と，を変数として選択するためのルールであるアドバイス選択ルールを用いてアドバイスを選択するアドバイス選択ステップと，
選択部で選択されたアドバイスを出力するアドバイス出力ステップと，
生活要素情報が数値で取得される場合に，生活要素情報蓄積ステップに蓄積された生活要素情報相互の相関係数である生活要素情報相互相関係数を取得する生活要素情報相互相関係数取得ステップと，
生活要素情報相互相関係数が一定以上の生活要素情報どうしを一括して一つのアドバイスを選択するようにアドバイス選択ルールを変更するアドバイス選択ルール変更ステップと，
を備えたがん計算機である予防・改善アドバイス装置の動作プログラム。